(57)【特許請求の範囲】
【請求項１】
ＣＲＴディスプレイ装置のＣＲＴ駆動回路を保護するための駆動回路保護手段であって、
ホストの出力する同期信号の周波数が変わるとその変化を示す状態信号を発生する状態信号発生回路と、前記状態信号に応答してＣＲＴ駆動回路への同期信号の供給を抑止する保護回路と、からなり、
前記保護回路は、前記状態信号に基づいてスイッチ駆動信号を発生するスイッチ駆動部と、そのスイッチ駆動信号が発生されている間オンしてＣＲＴ駆動回路へ入力される同期信号を接地へバイパスさせるスイッチ部と、を備え、
前記スイッチ駆動部は、前記状態信号を感知するインバータと、該インバータの出力を受けてその感知時点から容量に応じた所定時間持続するパルス形態で前記スイッチ駆動信号を発生するキャパシタと、から構成されることを特徴とする駆動回路保護手段。
【請求項２】
スイッチ駆動部のインバータは、抵抗を介してベースに状態信号を受けると共にエミッタから電源電圧を入力するトランジスタと、該トランジスタのベースとエミッタとの間に接続した抵抗と、該トランジスタのコレクタから接地へ接続した抵抗と、からなる請求項１記載の駆動回路保護手段。
【請求項３】
スイッチ部は、スイッチ駆動部のキャパシタから抵抗を介してベースにスイッチ駆動信号を受けると共にコレクタから同期信号を入力し、エミッタが接地されたトランジスタと、接地から前記キャパシタの出力側へ接続したダイオードと、前記キャパシタの出力側と接地との間に接続した抵抗と、からなる請求項１又は請求項２記載の駆動回路保護手段。
【請求項４】
同期信号が水平同期信号である請求項１〜３のいずれか１項に記載の駆動回路保護手段。
【請求項５】
同期信号が垂直同期信号である請求項１〜３のいずれか１項に記載の駆動回路保護手段。
【発明の詳細な説明】
【０００１】
【発明の属する技術分野】
本発明はＣＲＴディスプレイ（Ｃａｔｈｏｄｅ  Ｒａｙ  Ｔｕｂｅ  ｄｉｓｐｌａｙ）装置に関するものである。
【０００２】
【従来の技術】
ＣＲＴディスプレイ装置は、よく知られているようにパソコンなどから転送されるテキスト情報及びグラフィック情報を表示するための装置で、表示する画像の種類によってテキストモードあるいはグラフィックモードで動作する。
【０００３】
コンピュータシステムは、ＣＲＴディスプレイ装置にテキスト情報を表示する場合、テキストモードの垂直及び水平同期信号をＣＲＴディスプレイ装置に提供してテキスト情報を送り、これに従いＣＲＴディスプレイ装置が表示を行う。一方、グラフィック情報を表示する場合は、グラフィック情報に関連した解像度及び色の表示範囲をもつグラフィックモードの同期信号をＣＲＴディスプレイ装置に提供してグラフィック情報及び映像情報を送り、これに従いＣＲＴディスプレイ装置が表示を行う。
【０００４】
図１に、コンピュータシステムからＣＲＴディスプレイ装置への同期信号伝送系統のブロック図を示す。コンピュータシステムの同期信号発生回路１０は、グラフィックモード又はテキストモードにそれぞれ該当する水平同期信号Ｈ−ＳＹＮＣ及び垂直同期信号Ｖ−ＳＹＮＣを発生する。一般に同期信号発生回路１０は、ＶＧＡカードで提供されることはよく知られている。
【０００５】
ＣＲＴディスプレイ装置（モニタ）は、グラフィックモード及びテキストモードの情報を表示するＣＲＴ３０と、コンピュータシステムとＣＲＴディスプレイ装置を連結するケーブルを通じて同期信号発生回路１０から同期信号を受け、ＣＲＴ３０を駆動するＣＲＴ駆動回路２０と、を備えている。
【０００６】
コンピュータシステムはグラフィックモードを変更するとき、同期信号発生回路１０を通じて変更したモードに該当する同期信号Ｈ−ＳＹＮＣ，Ｖ−ＳＹＮＣをＣＲＴディスプレイ装置のＣＲＴ駆動回路２０に出力する。そして、ＣＲＴ駆動回路２０は、その変更されたモードに該当する同期信号Ｈ−ＳＹＮＣ，Ｖ−ＳＹＮＣを受けて該当モードでＣＲＴ３０を駆動する。
【０００７】
【発明が解決しようとする課題】
一般的にＣＲＴディスプレイ装置は、コンピュータシステムから受け入れた同期信号Ｈ−ＳＹＮＣ，Ｖ−ＳＹＮＣの周波数が許容範囲に属するかどうかを検査するために、マイクロコンピュータを備えている。通常、そのマイコンは、同期信号Ｈ−ＳＹＮＣ，Ｖ−ＳＹＮＣの周波数変化を所定の間隔（例えば３０ｍｓ〜１００ｍｓ）で週期的に検査する。そして、同期信号の周波数変更が感知され、その周波数がＣＲＴディスプレイ装置の許容範囲を超過していると、マイコンの制御により当該許容範囲を超過した同期信号Ｈ−ＳＹＮＣ，Ｖ−ＳＹＮＣが遮断される。
【０００８】
しかし、マイコンが同期信号Ｈ−ＳＹＮＣ，Ｖ−ＳＹＮＣを検査する週期の間にも、コンピュータシステムからの同期信号Ｈ−ＳＹＮＣ，Ｖ−ＳＹＮＣはＣＲＴ駆動回路２０へ入力されているので、その間に同期信号周波数が許容範囲を越えたものになればそのまま入力されてしまい、ＣＲＴ駆動回路２０に異常を来すこともある。
【０００９】
そこで本発明の目的は、同期信号の周波数が許容範囲を越えたとき確実にＣＲＴ駆動回路を保護することができるようにし、同期信号の周波数変化が大きくても安定して動作することの可能なＣＲＴディスプレイ装置を提供することにある。
【００１０】
【課題を解決するための手段】
この目的のために本発明では、ＣＲＴディスプレイ装置のＣＲＴ駆動回路を保護するための駆動回路保護手段として、ホストの出力する同期信号の周波数が変わるとその変化を示す状態信号を発生する状態信号発生回路と、前記状態信号に応答してＣＲＴ駆動回路への同期信号の供給を抑止する保護回路と、から構成される駆動回路保護手段を提供する。その同期信号は、水平同期信号でも垂直同期信号でも可能で、もちろん両者につい保護するのがよい。
【００１１】
保護回路は、状態信号に基づいてスイッチ駆動信号を発生するスイッチ駆動部と、そのスイッチ駆動信号に応答してＣＲＴ駆動回路へ入力される同期信号を接地へバイパスさせるスイッチ部と、を備えてなるものとすることができる。そのスイッチ駆動部は、状態信号を反転させるインバータと、該インバータの出力を受けてスイッチ駆動信号を発生するキャパシタと、から構成することができ、この場合のインバータは、抵抗を介してベースに状態信号を受けると共にエミッタから電源電圧を入力するトランジスタと、該トランジスタのベースとエミッタとの間に接続した抵抗と、該トランジスタのコレクタから接地へ接続した抵抗と、からなるものとすることができる。また、スイッチ部は、抵抗を介してベースにスイッチ駆動信号を受けると共にコレクタから同期信号を入力し、エミッタが接地されたトランジスタと、接地から前記スイッチ駆動信号へ接続したダイオードと、前記スイッチ駆動信号と接地との間に接続した抵抗と、からなるものとすることができる。
【００１２】
或いは、本発明によれば、ＣＲＴディスプレイ装置において、ホストからの同期信号を入力するマイクロコンピュータと、該マイクロコンピュータを通して前記同期信号を受け、該同期信号の周波数が変わるときに状態信号を発生する状態信号発生回路と、前記状態信号に応答してスイッチ駆動信号を発生するスイッチ駆動部、及び前記スイッチ駆動信号に応答して前記状態信号発生回路からＣＲＴ駆動回路へ伝送される同期信号を接地させるスイッチ部からなる保護回路と、で構成される駆動回路保護手段を備えることを特徴とする。
【００１３】
【発明の実施の形態】
以下、本発明の実施形態を図２〜図４に従い詳細に説明する。
【００１４】
図２には、本発明による駆動回路保護手段の構成をブロック図で示してある。即ち、本例のＣＲＴディスプレイ装置は、ＣＲＴ３０、ＣＲＴ駆動回路２０、マイコン１００、状態信号発生回路１１０、そして保護回路１４０を含んでいる。なお、状態信号発生回路１１０及び保護回路１４０はホスト側へ設けるなどの変形も可能である。
【００１５】
図２に示すように、本例のＣＲＴディスプレイ装置には保護回路１４０が提供されている。この保護回路１４０は、状態信号ＳＢＬＫに応答してＣＲＴ駆動回路２０への同期信号入力を抑止し、これにより同期信号周波数の変化に起因するＣＲＴ駆動回路２０の損傷を防止する。状態信号ＳＢＬＫは状態信号発生回路１１０から提供され、同期信号Ｈ−ＳＹＮＣ，Ｖ−ＳＹＮＣの周波数変化を示す信号である。
【００１６】
マイコン１００はホスト、例えばパソコンから提供される同期信号Ｈ−ＳＹＮＣ，Ｖ−ＳＹＮＣを入力し、同期信号Ｈ−ＳＹＮＣ，Ｖ−ＳＹＮＣの周波数変化を所定間隔（例えば３０ｍｓ〜１００ｍｓ）で週期的に検査する機能をもつ。そして、同期信号Ｈ−ＳＹＮＣ，Ｖ−ＳＹＮＣの周波数がＣＲＴディスプレイ装置の許容範囲（例えば３０ｋＨｚ〜６０ｋＨｚ）を超えて変化した場合には、よく知られたビデオミュート（ｖｉｄｅｏ  ｍｕｔｅ）の機能を遂行しＣＲＴ３０を保護する。
【００１７】
状態信号発生回路１１０は、マイコン１００を通して同期信号Ｈ−ＳＹＮＣ，Ｖ−ＳＹＮＣを受け、同期信号周波数がＣＲＴディスプレイ装置の許容範囲を超るときにはそれを示す状態信号ＳＢＬＫを即座に発生する。また状態信号発生回路１１０は、受信した同期信号Ｈ−ＳＹＮＣ，Ｖ−ＳＹＮＣを処理し、水平位置Ｈ−ＰＯＳＩＴＩＯＮ、水平発振Ｈ−ＯＳＣ、垂直発振Ｖ−ＯＳＣ、水平サイズＨ−ＳＩＺＥを可変させてＣＲＴ３０を制御することが可能な機能を含んでいる。このような状態信号発生回路１１０には、ＴＤＡ９１０３（ＳＧＳ）あるいはＳＴＴＶ７７７８の集積回路を使用する事が可能である。。
【００１８】
保護回路１４０は、スイッチ駆動部１２０及びスイッチ部１３０から構成されている。スイッチ駆動部１２０は、状態信号発生回路１１０から状態信号ＳＢＬＫを受けてこれに従いスイッチ駆動信号ＳＤＲＶを発生する。そして、スイッチ部１００がスイッチ駆動信号ＳＤＲＶに応答して同期信号Ｈ−ＳＹＮＣ，Ｖ−ＳＹＮＣの伝送を許容／抑止する。
【００１９】
同期信号Ｈ−ＳＹＮＣ，Ｖ−ＳＹＮＣの周波数が許容範囲内にあれば、保護回路１４０のスイッチ部１３０は、状態信号発生回路１１０から出力される同期信号Ｈ−ＳＹＮＣ，Ｖ−ＳＹＮＣをＣＲＴ駆動回路２０へ伝送する。一方、同期信号Ｈ−ＳＹＮＣ，Ｖ−ＳＹＮＣの周波数が許容範囲を超過するときには、状態信号発生回路１１０から発生される状態信号ＳＢＬＫに従いスイッチ駆動部１２０が、所定の時間（この場合、許容範囲を超過した周波数が元の状態に復帰するのに要する時間）でスイッチ駆動信号ＳＤＲＶを活性化させる。このスイッチ駆動信号ＳＤＲＶに従いスイッチ部１３０は、同期信号Ｈ−ＳＹＮＣ，Ｖ−ＳＹＮＣを接地短絡させることにより、ＣＲＴ駆動回路２０への伝送を抑止する。その結果、許容範囲を超過した同期信号周波数によるＣＲＴ駆動回路２０の損傷が防止される。
【００２０】
図３は保護回路１４０の具体例を示した回路図である。図示の回路が水平同期信号Ｈ−ＳＹＮＣと垂直同期信号Ｖ−ＳＹＮＣに対してそれぞれ提供される。
【００２１】
スイッチ駆動部１２０は、３つの抵抗Ｒ１〜Ｒ３、１つのＰＮＰトランジスタＱ１、１つのキャパシタＣ１で構成される。状態信号ＳＢＬＫは、入力端子１０１から抵抗Ｒ１を通して入力されてトランジスタＱ１のベースへ提供される。抵抗Ｒ２は、電源電圧Ｖｃｃの電源端子１０２とトランジスタＱ１のベースとの間に接続される。トランジスタＱ１は、エミッタが電源端子１０２に接続され、コレクタは抵抗Ｒ３を通じて基準電圧Ｖｓｓの接地端子１０３に接続される。これら抵抗Ｒ１〜Ｒ３及びトランジスタＱ１が状態信号ＳＢＬＫを反転させるインバータ１２２となる。そして、トランジスタＱ１のコレクタとなるインバータ１２２の出力端子１０４にキャパシタＣ１が設けられ、このキャパシタＣ１を通じてスイッチ部１３０へスイッチ駆動信号ＳＤＲＶが出力される。
【００２２】
スイッチ部１３０は、２つの抵抗Ｒ４，Ｒ５、１つのダイオードＤ１、ＮＰＮトランジスタＱ２で構成される。トランジスタＱ２は、コレクタに水平同期信号Ｈ−ＳＹＮＣ（又は垂直同期信号Ｖ−ＳＹＮＣ）を受け、エミッタが接地端子１０３に接続される。そして、抵抗Ｒ４を通じてスイッチ駆動信号ＳＤＲＶをベースに入力する。ダイオードＤ１は、カソードがキャパシタＣ１及び抵抗Ｒ４へ接続され、アノードが接地端子１０３に接続される。このダイオードＤ１と抵抗Ｒ５が並列に接続される。
【００２３】
図４は、状態信号ＳＢＬＫ、スイッチ駆動信号ＳＤＲＶ、及び水平同期信号Ｈ−ＳＹＮＣ（又は垂直同期信号Ｖ−ＳＹＮＣ）のタイミングを説明する信号波形図である。
【００２４】
一例として、マイコン１００の同期信号周波数検査周期の間にテキストモードからグラフィックモードへの転換があり、同期信号Ｈ−ＳＹＮＣ，Ｖ−ＳＹＮＣの周波数変化があったとする。このときに、ＣＲＴディスプレイ装置の許容範囲を超過する周波数（異常周波数とする）が発生したとすると、マイコン１００が感知してＣＲＴディスプレイ装置の防護制御を実施するまでの間に、その異常周波数の同期信号Ｈ−ＳＹＮＣ，Ｖ−ＳＹＮＣがそのままＣＲＴ駆動回路２０へ伝達され得る。
【００２５】
しかし本例では、まず、マイコン１００を通して同期信号Ｈ−ＳＹＮＣ，Ｖ−ＳＹＮＣを入力する状態信号発生回路１１０が、図４に示すように、状態信号ＳＢＬＫをハイレベルからロウレベルへ遷移させ、これに従うスイッチ駆動部１２０から、区間Ｔ１−Ｔ２の間にパルス形態のスイッチ駆動信号ＳＤＲＶが発生される。これに従いスイッチ部１３０のトランジスタＱ２がターンオンし、その結果として状態信号発生回路１１０からＣＲＴ駆動回路２０へ伝送される水平同期信号Ｈ−ＳＹＮＣ（又は垂直同期信号Ｖ−ＳＹＮＣ）は接地へ流される。このときに、キャパシタＣ１の容量を調整することにより、サージ防止及びパルスの調整が行える。
【００２６】
状態信号発生回路１１０からの状態信号ＳＢＬＫが非活性化される時点Ｔ３では、区間Ｔ１−Ｔ２とは逆位相のスイッチ駆動信号ＳＤＲＶが発生し得るが、このときにはダイオードＤ１が働くためにトランジスタＱ２の動作に影響することはない。このようにして、保護回路１４０を利用することにより、ＣＲＴ３０を駆動するＣＲＴ駆動回路２０を異常周波数の同期信号Ｈ−ＳＹＮＣ，Ｖ−ＳＹＮＣから守ることができる。
【００２７】
【発明の効果】
本発明によれば、同期信号周波数が許容範囲を越える場合には駆動回路への伝達を阻止することができるので、ＣＲＴ駆動回路を損傷から確実に守り、ＣＲＴディスプレイ装置の更なる安定動作を実現することができる。
【図面の簡単な説明】
【図１】コンピュータシステムからＣＲＴディスプレイ装置への同期信号伝送系統を示したブロック図。
【図２】本発明に係るＣＲＴディスプレイ装置の要部構成を示したブロック図。
【図３】図２中の保護回路１４０の具体例を示す回路図。
【図４】図３の回路における各信号の波形図。
【符号の説明】
１０  同期信号発生回路
２０  ＣＲＴ駆動回路
３０  ＣＲＴ
１００  マイコン
１１０  状態信号発生回路
１２０  スイッチ駆動部
１３０  スイッチ部
１４０  保護回路
１５０  垂直駆動回路
１６０  水平駆動回路
【図１】
0003556077.tif 000002
【図２】
0003556077.tif 000003
【図３】
0003556077.tif 000004
【図４】
0003556077.tif 000005